(57)【特許請求の範囲】
【請求項１】
１枚の段ボールの周囲の複数箇所に、段ボールの一部を内側に巻き込むことによって中空状を形成し、ドラムの外周線を外側から固定する外側緩衝材形成部を設け、
前記段ボールの内側の空間に、段ボールの一部を巻き込むことによって中空状を形成し、前記ドラムのドラムヘッドを下から支える内側緩衝材形成部を設けたことを特徴とする、組み立て式梱包材。
【請求項２】
１枚の四角形の段ボール（４００）の４辺（３２）を内側に巻き込み段ボール（４００）の四隅に四角柱の緩衝材を形成し、その四角柱の内側の空間において、収納されるバスドラム（１００）の外周線（４２）の４点を外側から固定することができ、
段ボール（４００）の中央に組み立て式の四角柱の緩衝材（３３）ができるように構成し、ドラムの総重量がかかっているバスドラム（１００）のドラムヘッド（２７）を下から支えることを特徴とする、組み立て式梱包材。
【請求項３】
小さなドラム（３００）を大きなドラム（２００）の中に収納固定するために、第１の梱包材（７００）と第２の梱包材（６００）とからなる組み立て式梱包材であって、一枚の段ボールからなる前記第１の梱包材（７００）の側面を内側に折り曲げることによって、前記小さなドラム（３００）の底部外周（１６）を外側から包み込み、その折り曲げた第１の梱包材が構成する縁（２２、２３、２４、２５）が前記大きなドラム（２００）の内周線（１７ａ）部分に接触し、前記第２の梱包材（６００）は、前記小さなドラムの外周よりも径方向に突出する翼状の突起大（１）と突起小（２）を有し、
前記第２の梱包材（６００）の翼状の突起大（１）と突起小（２）を内側に折り曲げる事によって、前記小さなドラムの外周を固定できるとともに、
前記第２の梱包材（６００）の突起大（１）と突起小（２）の先端を外側に折り曲げることによって、側面から見た形状が中空状部分を構成し、その中空状部分が前記大きなドラムに接触し、
前記折り曲げた第２の梱包材が構成する縁（１２、１３、１４、１５）が前記大きなドラム（２００）の内周線（１７ａ）に接触するようにしたことを特徴とする、組み立て式梱包材。
【請求項４】
１枚の四角形の梱包用の段ボール（７００）を折り曲げ線（２０、２１）から内側に折り曲げ、タムタム（３００）の底部外周（１６）の四カ所を外側から包み込み、その折り曲げた段ボールが構成する四隅の縁（２２、２３、２４、２５）がフロアタム（２００）の内周線（１７ａ）部分に接触し、タムタム（３００）をフロアタム（２００）の中に収納固定でき、
１枚の多角形のタムタム上部固定用の梱包材（６００）は、タムタムの外周よりも径方向に突出する翼状の突起大（１）と突起小（２）を有し、翼状の突起大（１）と突起小（２）を折り曲げ線（３）の位置から内側に折り曲げ、タムタム吊り下げ用金具（４０）の付いたタムタム（３００）の外周線（１６）の上部、又は、タムタム吊り下げ用金具（４０）のないタムタム（３００）の上部外周を固定できるようにし、
さらに梱包材（６００）の突起大（１）と突起小（２）を緩衝部（６、７及び８、９）を２分する折り曲げ線（１０、１１）で外側に折り曲げることにより、側面から見た形状が不等辺三角形（８００）を構成し、梱包材（１２、１３、１４、１５）がフロアタム（２００）の内周線（１７ａ）に接触するようにした、組み立て式梱包材。
【請求項５】
前記段ボール（４００、５００、６００、７００）の波板の向きを斜めに配置するようカットしたことを特徴とする、請求項１〜４のいずれかに記載の組み立て梱包材。
【発明の詳細な説明】
【技術分野】
【０００１】
この発明は、楽器用ドラムの輸送のための組み立て式梱包材にかかり、特に、短時間に最小限に梱包でき、且つ、安全に輸送することができる安価な組み立て式梱包材に関する。
【背景技術】
【０００２】
楽器用ドラムはその構造から本体のほとんどが空洞である、したがって、輸送の際には輸送費を削減するため、大きなドラムの中に小さなドラムを入れ込み梱包サイズを小さくする方法がとられている。
【発明の概要】
【発明が解決しようとする課題】
【０００３】
このような梱包方法は以下のような問題点がある。
１．大きなドラムの中に小さなドラムを入れ込むために輸送時に頻繁に破損する。
２．梱包材は定型のものがないため梱包時間が非常にかかる。
３．出来上がった梱包材は、かさ張るために保管場所をとる。
４．ドラムを中詰めするため本体重量が重くなる。そのため、外側のドラムの梱包材と接触する部分がその重量により破損することがある。
【課題を解決するための手段】
【０００４】
本発明は、以上のような問題を解決するために、以下のような梱包材を採用する。
１．板状の段ボールを定型にカットし、糊や金具を使わず組み立てることを特徴とする。
２．段ボールをカットする場合、緩衝材を形成している波板と呼ばれる向きが斜めになるようにすることにより、どの角度でも同じ強度を保てることができるようになることを特徴とする。
３．定型にカットした段ボールの表面にミシン目などをつけることにより簡単に短時間で定型の梱包材に組み立てることができることを特徴とする。
４．折り曲げて組み立てた梱包材の一部が梱包材の強度を増し、内側の商品を保護すると同時に外からの衝撃を緩衝する構造を備えていることを特徴とする。
５．立方体の梱包材に円柱形のドラムを簡単に固定することができることを特徴とする。
６．円柱形のドラムの中に円柱形のドラムを安全に固定することを特徴とする。
７．一枚の段ボール等の緩衝材から構成される梱包材の折り曲げ位置が、収納されるべきサイズの小さなドラムを固定し、同時に折り曲げた梱包材の外部の形状が、収納したドラムの内周部分で固定できることを特徴とする。【０００５】
より詳細には、上記課題を解決するために本発明によれば、１枚の段ボールの周囲の複数箇所に、段ボールの一部を内側に巻き込むことによって中空状を形成し、ドラムの外周線を外側から固定する外側緩衝材形成部を設け、前記段ボールの内側の空間に、段ボールの一部を巻き込むことによって中空状を形成し、前記ドラムのドラムヘッドを下から支える内側緩衝材形成部を設けたことを特徴とする、組み立て式梱包材が提供される。【０００６】
また、上記課題を解決するために本発明によれば、１枚の多角形の段ボール（４００）の４辺（３２）を内側に巻き込み段ボールの四隅に四角柱の緩衝材を形成し、その四角柱の内側の空間において、収納されるバスドラム（１００）の外周線（４２）の４点を外側から固定することができ、段ボール（４００）の中央に組み立て式の四角柱の緩衝材（３３）ができるように構成し、ドラムの総重量がかかっているバスドラム（１００）のドラムヘッド（２７）を下から支えることを特徴とする、組み立て式梱包材が提供される。【０００７】
また、上記課題を解決するために本発明によれば、小さなドラム（３００）を大きなドラム（２００）の中に収納固定するために、第１の梱包材（７００）と第２の梱包材（６００）とからなる組み立て式梱包材であって、
前記第１の梱包材（７００）を内側に折り曲げることによって、前記小さなドラム（３００）の底部外周（１６）を外側から包み込み、その折り曲げた第１の梱包材が構成する縁（２２、２３、２４、２５）が前記大きなドラム（２００）の内周線（１７ａ）部分に接触し、
前記第２の梱包材（６００）の翼状の突起大（１）と突起小（２）を内側に折り曲げることによって、前記小さなドラムの外周を固定できるとともに、
前記第２の梱包材（６００）の突起大（１）と突起小（２）の先端を外側に折り曲げることによって、側面から見た形状が中空状部分を構成し、その中空状部分が前記大きなドラムに接触し、前記折り曲げた第２の梱包材が構成する縁（１２、１３、１４、１５）が前記大きなドラム（２００）の内周線（１７ａ）に接触するようにしたことを特徴とする、組み立て式梱包材が提供される。【０００８】
また、上記課題を解決するために本発明によれば、１枚の四角形の梱包用段ボール（図２２の７００）を折り曲げ線（図２２の２０と２１）から均等に内側に折り曲げ（図２３のような形にし）、タムタム（３００）の底部外周（１６）の四カ所を外側から包み込むと同時に、折り曲げた段ボールが構成する四隅の縁（２２、２３、２４、２５）がフロアタム（２００）の内周線（１７ａ）部分に接触し、タムタム（３００）をフロアタム（２００）の中に（安全且つ簡単に）収納固定できる組み立て式梱包材と、
１枚の多角形のタムタム上部固定用梱包材（図１５の６００）の翼状の突起大（１）と突起小（２）を折り曲げ線（３）の位置から内側に折り曲げ、タムタム吊り下げ用金具（４０）の付いたタムタム（３００）の外周線（１６）の上部、或いは、タムタム吊り下げ用金具（４０）のないタムタム（３００）の外周の４カ所を固定できるようにし、
さらに梱包材（６００）の突起大（１）と突起小（２）を緩衝部（６、７及び８、９）を２分する折り曲げ線（１０、１１）のところで外側に折り曲げることにより、側面から見た形状が不等辺三角形（図１７の８００）を構成し、外部からの衝撃を吸収すると同時に、梱包材（６００の１２、１３、１４、１５）がフロアタム（２００）の内周線（１７ａ）に接触する（図２０）ことにより、（タムタム３００を安全且つしっかりとタムタム３００をフロアタム２００に固定できるようにした図２１のような携帯で使用される２枚一組のドラム用）組み立て式梱包材が提供される。【０００９】
本発明において、（カットした１枚の多角形の梱包材４００のような段ボールから形成される梱包材の四角柱の緩衝部３２の強度を高めるため、図２８のように）段ボールの波板の向きを斜めに配置するようカットしてもよい。
【発明の効果】
【００１０】
本発明によれば、以下のような効果がある。
１．板状の段ボール等をカットし、ミシン目をつけるだけなので安価で簡単に製作できる。
２．組み立て前は板状なので輸送、保管の際に場所をとらず、保管費、輸送費を削減できる。
３．組み立て上げた梱包材の一部が、梱包材の強度を高め緩衝材の役割も果たすことができるため、従来のように段ボール箱内に緩衝材を入れたりする必要がなく、手間と梱包費用が削減できる。
４．梱包しにくい円柱形のドラムを四角柱の段ボール箱や円柱形のドラム本体の中に最小限の梱包材で安全、且つ、短時間に収納することができる。
【図面の簡単な説明】
【００１１】
【図１】バスドラム１００の中にフロアタム２００、タムタム３００を収納した図である。
【図２】フロアタム２００とタムタム３００の部品構成を示すとともに、フロアタム２００の中にタムタム３００を収納した図である。
【図３】バスドラム１００の構成図である。
【図４】バスドラム１００用梱包材４００の展開図である。
【図５】同上梱包材の斜視図である。
【図６】組み立て式緩衝部３３の固定方式を示した図である。
【図７】梱包材４００にバスドラム１００を乗せた場合、バスドラム１００、フロアタム２００、タムタム３００が緩衝部３３のどの位置に当たるかを示した図である。
【図８】梱包材４００にバスドラム１００を置いた側面図である。
【図９】バスドラム１００を梱包材４００を使って段ボール等の箱に収納したものを側面から見た図である。
【図１０】フロアタム２００用梱包材５００の展開図である。
【図１１】梱包材５００を組み立てたものの斜視図である。
【図１２】梱包材５００にフロアタム２００を載せた斜視図である。
【図１３】バスドラム１００に梱包材５００を入れ込んだものを上部から見た図である。
【図１４】バスドラム１００に梱包材５００を入れフロアタム２００を梱包した側面図である。
【図１５】タムタム３００の下部固定用梱包材６００の展開図である。
【図１６】梱包材６００の斜視図である。
【図１７】フロアタム２００に梱包材６００を入れタムタム３００を固定した側面図である。
【図１８】タムタム３００に吊り下げ金具４０を装着したタムタム３００の図である。
【図１９】吊り下げ金具４０を装着したタムタム３００を逆さまにして梱包材６００を組み立てたものに載せた図である。
【図２０】フロアタム２００に梱包材６００を入れ込み図１９のタムタム３００を逆さまに収納したものを上部から見た図である。
【図２１】タムタム３００を梱包材６００と７００を使ってフロアタム２００に収納した斜視図である。
【図２２】タムタム３００をフロアタム２００に収納するための上部固定用梱包材７００の展開図である。
【図２３】上部固定用梱包材７００の斜視図である。
【図２４】タムタム３００をフロアタム２００に収納する際に使用される下部固定用梱包材６００と上部固定用梱包材７００がタムタム３００に取り付けられた様子の斜視図である。
【図２５】図２１のフロアタム２００にタムタム３００が収納されその上から梱包材７００がかぶせられタムタム３００を固定した状態を上部から見た図である。
【図２６】段ボールの波板の図である。
【図２７】段ボールのフルート（波板）を縦に配置して製作した梱包材を上部から見た図である。
【図２８】段ボールのフルート（波板）を斜めに配置して製作した梱包材を上部から見た図である。
【図２９】段ボールを巻き込むことによって作られた緩衝部３２を示す図である。
【発明を実施するための形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
（１）サイズの異なるドラムの梱包方法の説明（図１〜図３）
楽器用ドラムは、一般的にはサイズの異なるドラムを複数使用して演奏に使用される。図１は、ドラムを最小限のサイズで梱包するための方法を示した図である。図２は、フロアタム２００とタムタム３００の部品構成を示すとともに、フロアタム２００の中にタムタム３００を収納した図である。図１及び図２に示したように、バスドラム１００に対してフロアタム２００を収納し、さらにフロアタム２００に対してタムタム３００を収納している。
【００１４】
バスドラム１００は、図３のように、胴体２６、ドラムの革であるドラムヘッド２７、バスドラ用リム２８、フック２９、ボルト３０で構成されている。タムタム３００をフロアタム２００に収納するためにフロアタム３００のボルト３０、タムタム２００、フロアタム３００のリム３１、ドラムの革２７を順に外す。
【００１５】
このような梱包方法は、梱包サイズを小さくすることはできるが、中のドラムが輸送中にぶつかり合うため破損するというトラブルが発生する。本実施形態ではこれらの問題を解決するために簡易な梱包材と梱包方法について説明する。
【００１６】
（２）中詰めしたバスドラム１００を段ボール箱４５に収納する際の梱包材の説明（図４〜図９）
中詰めしたバスドラム１００を段ボール箱４５に収納する際の梱包材について説明する。図４は梱包材４００の展開図である。図５は梱包材４００の斜視図である。図６は、組み立て式緩衝部３３の固定方式を示した図である。図４の符号３２の部分を内側に巻き込み、各辺２個ずつあるストッパー３２ａを差し込み口３２ｂに入れて固定すると、バスドラム１００のフープ２８を外側から固定するための四角柱の緩衝部３２を構成することができる。
【００１７】
図７のように梱包材４００を組み立てると内側の辺４４が収納するバスドラム１００の外周線４２上にあるように作られているため、これらの辺がバスドラム１００を外側から固定し、外側の辺４３はバスドラム１００を収納すべき段ボール４５の梱包材の内側にしっかり固定できるように作られており、緩衝材の役割を果たす。
【００１８】
さらに、梱包材４００の中央２カ所にある切り込み部３３を内側に折り曲げ、ストッパー３３ａを溝３３ｂにはめ込むことにより四角柱を形成しバスドラムヘッドを支えるための組み立て式緩衝部３３が完成する。
【００１９】
段ボール箱４５に梱包材４００を敷き、その上にバスドラム１００を乗せ、ドラム１００上から梱包材４００をかぶせ、段ボール箱４５の蓋を閉めて梱包を完成させる。図８は、梱包材４００の上にバスドラム１００を載せた状態の側面図である。図９は、バスドラム１００を梱包材４００を使って段ボール等の箱に収納したものを側面から見た図である。このように梱包材４００の緩衝部３３はドラム１００のドラムヘッド２７を下から支えることにより、従来のようにタムタム３００とフロアタム２００の総重量がフープ２８に集中することなく緩衝材全体に分散することにより、段ボール箱４５に外部から衝撃が加わっても、フープ２８が破損することなく安全且つしっかりと中のドラムを保護することができる。
【００２０】
（３）タムタム３００を収納したフロアタム２００をバスドラム１００に収納するための梱包材の説明（図１０〜図１４）
次は、タムタム３００を収納したフロアタム２００をバスドラム１００に収納するための梱包材の説明である。図１０は梱包材５００の展開図である。梱包材５００の緩衝材の役割を果たす翼３５を内側に巻きながら、図１１のように組み立てる。梱包材５００の突起部３６も同様に内側に曲げ、図１１のように梱包材５００を組み立てる。
【００２１】
図１０の梱包材５００の翼３５を内側に巻き上げて出来上がった４カ所の四角柱の緩衝部３５は、フロアタム２００の外周線３８を外側から押さえ込むように出来上がっている。同時に組み立て上げた梱包材５００の４箇所の四角柱の緩衝部３５の縁４１と、内側に折り曲げられた梱包材５００の突起部３６によって作られる縁３６ａは、バスドラム１００の内周円線３７に接触するようになっているため、図１１のように四角柱の緩衝部３５は、バスドラム１００の内周線とフロアタム２００の外周線３８の間で緩衝材の役割を果たし、図１３のようにフロアタム２００をバスドラム１００の中に安全且つしっかりと固定する働きをする。
【００２２】
図１２は組み立てた梱包材５００にフロアタム２００を設置した状態の図である。フロアタム２００をバスドラム１００に収納するためには、図１３のように梱包材５００をバスドラム１００の内側に設置し、フロアタム２００を収納する。
【００２３】
その後に梱包材５００を上から被せる。図１４はフロアタム２００をバスドラム１００に収納した側面図である。フロアタム２００の上に梱包材５００を乗せてバスドラム１００に収納した場合、図１４のようにバスドラム１００の高さとフロアタム２００の高さが違うため空間が生まれる。その空間を埋めるために箱４６を梱包材５００の上に置き、しっかりと固定できるようにした上で、バスドラム１００のドラムヘッド２７を張り、リム２８をつけ、フック２９とボルト３０でフロアタム２００をバスドラム１００の中に収納する。
【００２４】
（４）梱包材の折り曲げについての説明（図１５〜図２５）
図１５の梱包材６００には翼状の突起大１、翼状の突起小２があり、タムタム３００の外周線１６上の折れ線３にそって内壁面４、５をそれぞれタムタム３００を囲むように内側に立てて折り曲げ、外壁面６、７、８、９は折れ線１０と１１に従って外側に折り曲げる。図１６は、組み立て上げた梱包材６００の斜視図である。折り曲げた段ボールは図１７の８００のように不等辺三角形を形成し、この形状がタムタム３００を固定すると同時に、タムタム３００に対する外側からの衝撃を吸収する役割を果たす。
【００２５】
図１５の梱包材６００の製作のポイントは、タムタム３００の外周線１６が収納すべきタムタム３００や、図１８のようにタムタム吊り下げ金具４０が装着されているタムタム３００の外周よりも若干大きく作られていることにより、メーカによるサイズの差やタムタム吊り下げ用金具４０のようなものを取り付けた場合にも機能できるようにしている。
【００２６】
金具などの付いたタムタム３００は外寸が一定ではないが、図１５の外壁面大小の６、７、８、９が曲げられた段ボールの反発力で内側に押しやられ、内壁面４、５がタムタム３００のサイズが多少違ってもそれに対応でき、不確定なサイズのドラムをほどよく固定できる。また、外壁面大小６、７、８、９は固定されていないため、輸送時に外部から衝撃がかかったときでも衝撃を吸収できるようになっている。これらの効能を得るために収納すべきタムタム３００は、タムタム吊り下げ金具４０の有る無しにかかわらず、上下逆さまに収納する。また、タムタム吊り下げ金具４０の付いた場所を縁１５の位置に配置するようにする。
【００２７】
図１９は、タムタム３００を逆さまにして梱包材６００を組み立てたものに載せた図である。図２０は、フロアタム２００に梱包材６００を入れ込み図１９のタムタム３００を逆さまに収納したものを上部から見た図である。図２１は、タムタム３００を梱包材６００と７００を使ってフロアタム２００に収納した側面図である。
【００２８】
梱包材６００を組み立てると、辺１２、１３、１４、１５が、収納するフロアタム２００の内周円周線１７ａ上にあるように作られているため、これらの辺がタムタム３００をフロアタム２００の内側にしっかり固定できるようになっている。
【００２９】
タムタム３００をフロアタム２００に収納するため、図２２のタムタム上部固定用梱包材７００の側面１８、１９を、折れ線２０、２１にそって内側に折り曲げると、図２３のような形状になる。この形状になった状態で既にフロアタム２００に収納されたタムタム３００の上から、図２４のように被せるようにフロアタム２００にはめ込む。このとき、縁２２の方向にタムタム吊り下げ金具４０が来るようにする。図２１は、図２４の梱包材６００、７００で包み込んだ状態のタムタム３００をフロアタム２００に収納した状態の斜視図である。
【００３０】
このようにして収納するとフロアタム２００の高さよりもタムタム３００の高さが低すぎるため空間が生じる場合があるが、その際はその空間を埋めるため段ボール箱４６を入れてしっかり固定できるようにする。
【００３１】
図２５の梱包材７００の縁２２、２３、２４、２５はフロアタム２００の内周線１７ａ上にあるように作られているため、この辺がタムタム３００をフロアタム２００の内周線１７ａにしっかり固定できる。
【００３２】
図２１のように、全て梱包材でタムタム３００をフロアタム２００に収納した後、ドラムヘッド２７、リム３１を乗せ、ボルト３０でドラムを完成させる。
【００３３】
（５）段ボールの説明（図２６〜図２９）
図２６は、段ボールの波板の図である。梱包材４００を例にとって説明すると、図２７上の水平にあたる四角柱の緩衝部３２の波板４７は緩衝部３２に対して垂直４８ａになるため、外部からの衝撃に対し緩衝材の役目を十分果たすのに対し、垂直の向きにあたる緩衝部３２の波板４７の向きは、緩衝部３２に対して平行４８ｂになるため、外からの衝撃に対して反発することができず、外部からの衝撃を吸収する構造にはならない。
【００３４】
したがって、本実施形態では梱包材をカットする際に、図２８のように波板４７が部材に対して４５度の角度になるようにカットすることにより、図２９上の緩衝部３２が垂直線上のものでも水平線上のものでも波板４８は常に４５度の角度を維持することできる。さらに、段ボールを巻き込むことによって作られた緩衝部３２は、図２９のように外側の波板の向き４８ｅが内側の波板の向き４８ｆと正反対の向きになり、頂点の内角９０度を形成する三角形の形状になることにより強度をさらに高めることになり、外部からの衝撃を十分吸収できる構造になる。
【００３５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００３６】
例えば、上記実施形態では、梱包材をカットする際に、図２８のように波板４７が部材に対して４５度の角度になるようにカットする場合について説明したが、本発明はこれに限定されない。必ずしも梱包材（段ボール）の波形の向きを斜めに配置するようカットしなくてもよく、カットする場合でも、その角度は４５度でなくてもよい。
【００３７】
また、上記実施形態では、１枚の多角形の段ボール４００の４辺３２を内側に巻き込み段ボール４００の四隅に四角柱の緩衝材を形成し、その四角柱の内側の空間において、収納されるバスドラム１００の外周線４２の４点を外側から固定することについて説明したが、本発明はこれに限定されない。１枚の段ボールの周囲の複数箇所を内側に巻き込み、バスドラムの外周線の少なくとも３点を外側から固定することによって、バスドラムを安定して支えることができる。また、本発明を利用して、バスドラムに限定されず、任意のドラムを梱包可能である。
【００３８】
また、上記実施形態では、タムタム上部固定用の梱包材６００と１枚の四角形の梱包用の段ボール７００とを用いて、タムタム３００をフロアタム２００の中に収納固定することについて説明したが、本発明はこれに限定されず、小さなドラムを大きなドラムの中に収納固定するあらゆる場面において本発明を利用することができる。
【００３９】
また、上記実施形態では、１枚の四角形の梱包用の段ボール７００を折り曲げ線２０、２１から均等に内側に折り曲げ、タムタム３００の底部外周１６の四カ所を外側から包み込み、その折り曲げた段ボールが構成する四隅の縁２２、２３、２４、２５がフロアタム２００の内周線１７ａ部分に接触し、タムタム３００をフロアタム２００の中に収納固定できることについて説明したが、本発明はこれに限定されない。段ボールの形状は四角形に限定されず任意の形状の段ボールを用いることができる。また、折り曲げる箇所も四か所に限定されず、任意の複数箇所でよい。
【００４０】
また、上記実施形態では、１枚の多角形のタムタム上部固定用の梱包材６００の翼状の突起大１と突起小２を折り曲げ線３の位置から内側に折り曲げ、タムタム吊り下げ用金具４０の付いたタムタム３００の外周線１６の上部を固定できるようにすることについて説明したが、本発明はこれに限定されない。タムタム吊り下げ用金具のないタムタム（大きなドラムに収納される小さなドラム）の外周の固定できるようにしてもよい。また、タムタム（大きなドラムに収納される小さなドラム）を固定する際に、どの箇所を固定してもよく、また、固定する数も任意でよい。
【００４１】
また、上記実施形態では、梱包材６００の突起大１と突起小２を緩衝部６、７及び８、９を２分する折り曲げ線１０、１１で外側に折り曲げることにより、側面から見た形状が不等辺三角形８００を構成し、梱包材１２、１３、１４、１５がフロアタム２００の内周線１７ａに接触することについて説明したが、本発明はこれに限定されない。梱包材を折り曲げて構成する形状は、不等辺三角形でなくてもよく、任意の中空状でよい。
【符号の説明】
【００４２】
１００  バスドラム
２００  フロアタム
３００  タムタム
４００  バスドラム用梱包材
５００  フロアタム用梱包材
６００  タムタム下部固定用梱包材
７００  タムタム上部固定用梱包材
８００  タムタム下部固定用梱包材６００の翼１、２が構成する不等辺三角形
１  梱包材６００の翼状の突起大
２  梱包材６００の翼状の突起小
３  タムタム３００の外周線状の折れ線
４  梱包材６００のタムタム３００を固定するための吊下げ金具４７側の内壁面
５  梱包材６００のタムタム３００を固定するための内壁面
６  梱包材６００の外壁面大１
７  梱包材６００の外壁面大２
８  梱包材６００の外壁面小１
９  梱包材６００の外壁面小２
１０  梱包材６００の外壁面大１の折れ線
１１  梱包材６００の外壁面小２の折れ線
１２  フロアタム２００の内周線に接する縁左
１３  タムタム３００の吊り下げ金具４７の着かない方の縁
１４  フロアタム２００の内周線に接する縁右
１５  タムタム３００の吊り下げ金具の着く方の縁
１６  タムタム３００の外周線
１７  フロアタム２００の外周線
１７ａ  フロアタム２００の内周線
１８  梱包材７００のタムタム吊り下げ用金具側の側面
１９  梱包材７００のタムタム吊り下げ用金具側の反対側の側面
２０  梱包材７００のタムタム吊り下げ用金具側の折り曲げ線
２１  梱包材７００のタムタム吊り下げ用金具側の反対側の折り曲げ線
２２  梱包材７００の縁の吊り下げ金具４０側
２３  梱包材７００の縁の左側
２４  梱包材７００の縁の吊り下げ金具４０のない側
２５  梱包材７００の縁の右側
２６  胴体
２７  ドラムヘッド
２８  バスドラ用リム
２９  フック
３０  ボルト
３１  タムタム２００、フロアタム３００のリム
３２  梱包材４００の緩衝材の役割を果たす組み立て部分
３２ａ  緩衝部３２を固定するためのストッパー
３２ｂ  ストッパー３２ａを止めるための溝
３３  バスドラム１００のドラムヘッドを下から支えるための四角柱の組み立て式緩衝部
３３ａ  四角柱の緩衝材３３を組み立てる際のストッパー
３３ｂ  ストッパー３３ａを止めるための溝
３４  組み立て式緩衝部３３を組み立てた際の梱包材４００底部の開口部
３５  梱包材５００の四角柱の緩衝部
３５ａ  梱包材５００の緩衝部３５を固定するためのストッパー
３５ｂ  梱包材５００のストッパー３５ａを止めるための溝
３６  梱包材５００の突起部
３６ａ  梱包材５００の突起部３６を折り曲げた際にできる縁
３７  バスドラム１００の内周線
３８  フロアタム２００の外周線
３９  梱包材５００の緩衝部がフロアタム２００を外側から固定する縁
４０  タムタム吊り下げ用金具
４１  緩衝部３５の縁
４２  バスドラム１００の外周線
４３  梱包材４００の外側の辺
４４  梱包材４００の内側の辺
４５  バスドラム１００を入れるための段ボール箱
４６  梱包の際に生じる空間を埋めるための箱
４７  段ボールの波板
４８ａ  従来の梱包材の水平の四角柱の波板の向き
４８ｂ  従来の梱包材の垂直の四角柱の波板の向き
４８ｃ  梱包材４００の水平の四角柱の波板の向き
４８ｄ  梱包材４００の垂直の四角柱の波板の向き
４８ｅ  緩衝部３２の外側の並み板の向き
４８ｆ  緩衝部３２の内側の並み板の向き
【図１】
0006543865.tif 000002
【図２】
0006543865.tif 000003
【図３】
0006543865.tif 000004
【図４】
0006543865.tif 000005
【図５】
0006543865.tif 000006
【図６】
0006543865.tif 000007
【図７】
0006543865.tif 000008
【図８】
0006543865.tif 000009
【図９】
0006543865.tif 000010
【図１０】
0006543865.tif 000011
【図１１】
0006543865.tif 000012
【図１２】
0006543865.tif 000013
【図１３】
0006543865.tif 000014
【図１４】
0006543865.tif 000015
【図１５】
0006543865.tif 000016
【図１６】
0006543865.tif 000017
【図１７】
0006543865.tif 000018
【図１８】
0006543865.tif 000019
【図１９】
0006543865.tif 000020
【図２０】
0006543865.tif 000021
【図２１】
0006543865.tif 000022
【図２２】
0006543865.tif 000023
【図２３】
0006543865.tif 000024
【図２４】
0006543865.tif 000025
【図２５】
0006543865.tif 000026
【図２６】
0006543865.tif 000027
【図２７】
0006543865.tif 000028
【図２８】
0006543865.tif 000029
【図２９】
0006543865.tif 000030